(57)【要約】【課題】画質を維持するためには、ホワイトバランス調整に対応できるように余裕を持った回路設計が必要となり、回路設計の効率化を図る際の妨げになるという課題があった。【解決手段】ＲＧＢ信号生成部４１でホワイトバランス調整を行うとともに、ＲＧＢ信号処理部４２でも画質設定の一環としてホワイトバランス調整を行っているため、回路設計に余裕を持たせなくても所定色成分の飽和などが生じにくいため、回路設計の効率化を図りつつ画質維持が可能となる。【選択図】  図２
2006314062.tif 000002
【特許請求の範囲】
【請求項１】
所定の放送信号を受信するチューナと、この受信する放送信号を信号処理して映像信号を出力するクロマＩＣと、この出力される映像信号をデジタル変換するＡ／Ｄ変換回路と、このデジタル変換される映像信号に画素数変換処理を行ってＲＧＢ信号を出力する画素数変換回路と、この出力されるＲＧＢ信号に画質設定処理を行う画質設定回路と、この画質設定処理されるＲＧＢ信号に基づいて上記放送信号に基づく映像を出力するディスプレイモジュールと、当該テレビジョンを制御するマイコンとを備えるとともに、所定操作を検知したときには工場モードを実行するテレビジョンにおいて、
上記画素数変換回路から出力されるＲＧＢ信号に対してＲＧＢ成分ごとに第一のガンマ補正を行う第一のガンマ補正回路と、
上記画質設定回路から出力されるＲＧＢ信号に対してＲＧＢ成分ごとに第二のガンマ補正を行う第二のガンマ補正回路と、
複数種類の異なるディスプレイモジュールに対応する各色成分の第一および第二のガンマ補正係数テーブルを記憶するＥＥＰＲＯＭとを備え、
上記マイコンは、上記工場モードが実行されるとき、当該テレビジョンに採用されるディスプレイモジュールの仕様を識別して上記ＥＥＰＲＯＭから同ディスプレイモジュールに対応する各色成分の第一のガンマ補正係数テーブルを読み出して上記第一のガンマ補正回路を設定し、同ディスプレイモジュールに対応するホワイトバランス調整を行うとともに、同ＥＥＰＲＯＭから同ディスプレイモジュールに対応する各色成分の第二のガンマ補正係数テーブルを読み出して上記第二のガンマ補正回路を設定し、同ディスプレイモジュールに対応するホワイトバランス調整を行うことを特徴とするテレビジョン。
【請求項２】
所定のデジタル映像信号を入力する信号入力手段と、この入力されるデジタル映像信号に画素数変換処理を行ってＲＧＢ信号を出力する画素数変換手段と、この出力されるＲＧＢ信号に画質設定処理を行って所定のディスプレイ装置に出力する画質設定手段とを具備する信号処理装置において、
上記画素数変換手段から出力されるＲＧＢ信号に対してＲＧＢ成分ごとに第一のガンマ補正を行って上記ディスプレイ装置に対応するホワイトバランス調整を実行する第一のガンマ補正手段と、
上記画質設定手段から出力されるＲＧＢ信号に対してＲＧＢ成分ごとに第二のガンマ補正を行って上記ディスプレイ装置に対応するホワイトバランス調整を実行する第二のガンマ補正手段とを具備することを特徴とする信号処理装置。
【請求項３】
上記ディスプレイ装置に対応する各色成分の第一および第二のガンマ補正係数テーブルを記憶するメモリ手段を備え、
上記第一のガンマ補正手段は、上記メモリ手段から第一のガンマ補正係数テーブルを読み出して上記第一のガンマ補正を行うとともに、
上記第二のガンマ補正手段は、上記メモリ手段から第二のガンマ補正係数テーブルを読み出して上記第二のガンマ補正を行うことを特徴とする上記請求項２に記載の信号処理装置。
【請求項４】
上記メモリ手段は、複数種類の異なるディスプレイ装置に対応する第一および第二のガンマ補正係数テーブルを記憶し、
上記第一のガンマ補正手段は、当該信号処理装置がＲＧＢ信号を出力するディスプレイ装置を識別するとともに、この識別したディスプレイ装置に対応する第一のガンマ補正係数テーブルを上記メモリ手段から読み出して上記第一のガンマ補正を行うとともに、
上記第二のガンマ補正手段は、上記ディスプレイ装置を識別するとともに、この識別したディスプレイ装置に対応する第二のガンマ補正係数テーブルを上記メモリ手段から読み出して上記第二のガンマ補正を行うことを特徴とする上記請求項３に記載の信号処理装置。
【請求項５】
上記第一および第二のガンマ補正手段は、工場モードの実行時にガンマ補正を行い、当該信号処理装置がＲＧＢ信号を出力するディスプレイ装置に対応するホワイトバランス調整を行うことを特徴とする上記請求項２〜請求項４のいずれかに記載の信号処理装置。
【請求項６】
所定のデジタル映像信号を入力し、この入力されるデジタル映像信号に画素数変換処理を行ってＲＧＢ信号を出力するとともに、この出力されるＲＧＢ信号に画質設定処理を行って所定のディスプレイ装置に出力する信号処理方法において、
上記画素数変換処理して出力されるＲＧＢ信号に対してＲＧＢ成分ごとに第一のガンマ補正を行って上記ディスプレイ装置に対応するホワイトバランス調整を実行するとともに、上記画質設定処理して出力されるＲＧＢ信号に対してＲＧＢ成分ごとに第二のガンマ補正を行って同ディスプレイ装置に対応するホワイトバランス調整を実行することを特徴とする信号処理方法。
【発明の詳細な説明】
【技術分野】
【０００１】
本発明は、テレビジョン、信号処理装置および信号処理方法に関し、特に、所定のデジタル映像信号を入力し、この入力されるデジタル映像信号に画素数変換処理を行ってＲＧＢ信号を出力するとともに、この出力されるＲＧＢ信号に画質設定処理を行って所定のディスプレイモジュールに出力するテレビジョン、信号処理装置および信号処理方法に関する。
【背景技術】
【０００２】
従来の液晶テレビジョンやＰＤＰテレビジョンでは、採用ディスプレイモジュールにおけるホワイトバランスのバラツキを検出するとともに、画素数変換回路から出力するＲＧＢ信号に対してゲインやオフセットなどの信号処理を行うことにより、この採用ディスプレイモジュールの仕様に対応したホワイトバランス調整を行っている。この種のホワイトバランス調整の一例が特許文献１には開示されている。
【特許文献１】特開平８−３３６１５５号公報
【発明の開示】
【発明が解決しようとする課題】
【０００３】
上述したテレビジョンにおいては、画素数変換回路でディスプレイモジュールの画素数に応じて画素数変換を行うスケーリング処理を実行した後に、ホワイトバランス調整を行っているため、所定の色成分が飽和するなどして所望の画質を維持できなくなる場合があった。
また、画質を維持するためには、上記ホワイトバランス調整に対応できるように余裕を持った回路設計が必要となり、回路設計の効率化を図る際の妨げになるという課題があった。
本発明は、上記課題にかんがみてなされたもので、回路設計の効率化を図りつつ画質を維持することが可能なテレビジョン、信号処理装置および信号処理方法の提供を目的とする。
【課題を解決するための手段】
【０００４】
上記目的を達成するため、請求項１にかかる発明は、所定の放送信号を受信するチューナと、この受信する放送信号を信号処理して映像信号を出力するクロマＩＣと、この出力される映像信号をデジタル変換するＡ／Ｄ変換回路と、このデジタル変換される映像信号に画素数変換処理を行ってＲＧＢ信号を出力する画素数変換回路と、この出力されるＲＧＢ信号に画質設定処理を行う画質設定回路と、この画質設定処理されるＲＧＢ信号に基づいて上記放送信号に基づく映像を出力するディスプレイモジュールと、当該テレビジョンを制御するマイコンとを備えるとともに、所定操作を検知したときには工場モードを実行するテレビジョンにおいて、上記画素数変換回路から出力されるＲＧＢ信号に対してＲＧＢ成分ごとに第一のガンマ補正を行う第一のガンマ補正回路と、上記画質設定回路から出力されるＲＧＢ信号に対してＲＧＢ成分ごとに第二のガンマ補正を行う第二のガンマ補正回路と、複数種類の異なるディスプレイモジュールに対応する各色成分の第一および第二のガンマ補正係数テーブルを記憶するＥＥＰＲＯＭとを備え、上記マイコンは、上記工場モードが実行されるとき、当該テレビジョンに採用されるディスプレイモジュールの仕様を識別して上記ＥＥＰＲＯＭから同ディスプレイモジュールに対応する各色成分の第一のガンマ補正係数テーブルを読み出して上記第一のガンマ補正回路を設定し、同ディスプレイモジュールに対応するホワイトバランス調整を行うとともに、同ＥＥＰＲＯＭから同ディスプレイモジュールに対応する各色成分の第二のガンマ補正係数テーブルを読み出して上記第二のガンマ補正回路を設定し、同ディスプレイモジュールに対応するホワイトバランス調整を行う構成としてある。
【０００５】
上記のように構成した請求項１にかかる発明においては、マイコン制御により、チューナは所定の放送信号を受信し、クロマＩＣはこの受信する放送信号を信号処理して映像信号を出力する。また、Ａ／Ｄ変換回路はこの出力される映像信号をデジタル変換し、画素数変換回路は、このデジタル変換される映像信号に画素数変換処理を行ってＲＧＢ信号を出力する。
ＥＥＰＲＯＭには、複数種類の異なるディスプレイモジュールに対応する各色成分のガンマ補正係数テーブルが記憶されており、所定操作を検知して工場モードを実行するとき、マイコンは、当該テレビジョンが採用しているディスプレイモジュールの仕様を識別して上記ＥＥＰＲＯＭから同ディスプレイモジュールに対応する各色成分のガンマ補正係数テーブルを読み出して第一のガンマ補正回路を設定し、この第一のガンマ補正回路には上記画質設定回路から出力されるＲＧＢ信号に対してＲＧＢ成分ごとに第一のガンマ補正を行わせ、同ディスプレイモジュールに対応するホワイトバランス調整を実行する。
【０００６】
画質設定回路は、上記第一のガンマ補正が施されたＲＧＢ信号に対して画質設定処理を行う。上記工場モードの実行時、マイコンは、上記ＥＥＰＲＯＭから当該テレビジョンが採用しているディスプレイモジュールの仕様に対応する各色成分のガンマ補正係数テーブルを読み出して第二のガンマ補正回路を設定し、この第二のガンマ補正回路には上記画質設定回路から出力されるＲＧＢ信号に対してＲＧＢ成分ごとに第二のガンマ補正を行わせ、同ディスプレイモジュールに対応するホワイトバランス調整を実行する。
上記ディスプレイモジュールでは、上記第二のガンマ補正が施されたＲＧＢ信号に基づいて上記放送信号に基づく映像が出力される。
【０００７】
従って、本発明では、画素数変換回路の出力段でディスプレイモジュールに対応したガンマ補正によりホワイトバランス補正を行い、加えて、画質設定回路の出力段でも同ディスプレイモジュールに対応したガンマ補正によりホワイトバランス調整を行うことが可能となる。従って、ディスプレイモジュールを変更した場合であっても、ホワイトバランス調整時に調整幅が制約されたり、色成分が飽和するなどしないため、画質の維持が容易となる。なお、本発明にかかるディスプレイは、上記ＲＧＢ信号に基づいて映像出力することができれば良く、例えば、液晶ディスプレイやＰＤＰなどであっても良い。
【０００８】
本発明は画素数変換処理の出力段と画質設定処理の出力段とで各々にホワイトバランス調整を行うことができれば良いとの観点から、請求項１の趣旨を広い意味合いで捕らえることも可能であり、請求項２にかかる発明は、所定のデジタル映像信号を入力する信号入力手段と、この入力されるデジタル映像信号に画素数変換処理を行ってＲＧＢ信号を出力する画素数変換手段と、この出力されるＲＧＢ信号に画質設定処理を行って所定のディスプレイ装置に出力する画質設定手段とを具備する信号処理装置において、上記画素数変換手段から出力されるＲＧＢ信号に対してＲＧＢ成分ごとに第一のガンマ補正を行って上記ディスプレイ装置に対応するホワイトバランス調整を実行する第一のガンマ補正手段と、上記画質設定手段から出力されるＲＧＢ信号に対してＲＧＢ成分ごとに第二のガンマ補正を行って上記ディスプレイ装置に対応するホワイトバランス調整を実行する第二のガンマ補正手段とを具備する構成としてある。
【０００９】
上記のように構成した請求項２にかかる発明において、信号入力手段は所定のデジタル映像信号を入力し、画素数変換手段はこの入力されるデジタル映像信号に画素数変換処理を行ってＲＧＢ信号を出力する。第一のガンマ補正手段は、上記画素数変換手段から出力されるＲＧＢ信号に対してＲＧＢ成分ごとに第一のガンマ補正を行って所定のディスプレイ装置に対応するホワイトバランス調整を実行する。
画質設定手段は上記第一のガンマ補正を行ったＲＧＢ信号に画質設定処理を行い、第二のガンマ補正手段は上記画質設定手段から出力されるＲＧＢ信号に対してＲＧＢ成分ごとに第二のガンマ補正を行って上記ディスプレイ装置に対応するホワイトバランス調整を実行する。
【００１０】
すると、上記第二のガンマ補正を行ったＲＧＢ信号は、上記ディスプレイ装置に出力される。このため、同ディスプレイ装置では、ホワイトバランスのバラツキが解消された状態でＲＧＢ信号に基づく映像が出力される。請求項１と同様に、ディスプレイモジュールを変更した場合であっても、ホワイトバランス調整時に調整幅が制約されたり、色成分が飽和するなどしないため、画質の維持が容易となる。
上記信号入力手段は、デジタル映像信号を入力するものであれば良く、映像信号の取得形態を限定するものではない。例えば、請求項１のように放送信号を受信してこの放送信号に基づくデジタル映像信号を入力するものであっても良いし、ＤＶＤなどの記録媒体からデジタル映像信号を読み出して入力するものなどであっても良い。
【００１１】
上記画素数変換手段、画質設定手段、第一および第二のガンマ補正手段は、具体構成を限定するものではなく、例えば、パッケージＩＣの一部回路として構成されるものなどであっても良い。また、専用回路内で各信号処理を実行するものであっても良いし、マイコンなどから制御指示を与えることで各信号処理を実行するものであっても良い。
上記ディスプレイ装置は、上記ガンマ補正されたＲＧＢ信号に基づいて映像出力するものであれば良く、請求項１におけるディスプレイモジュールと同様に、例えば、液晶ディスプレイやＰＤＰなどを備える装置であっても良い。また、テレビジョンのように当該信号処理装置と一体化されたものであっても良い。
【００１２】
上記第一および第二のガンマ補正手段がガンマ補正を実行するための具体構成の一例として、請求項３にかかる発明は、上記請求項２に記載の信号処理装置において、上記ディスプレイ装置に対応する各色成分の第一および第二のガンマ補正係数テーブルを記憶するメモリ手段を備え、上記第一のガンマ補正手段は、上記メモリ手段から第一のガンマ補正係数テーブルを読み出して上記第一のガンマ補正を行うとともに、上記第二のガンマ補正手段は、上記メモリ手段から第二のガンマ補正係数テーブルを読み出して上記第二のガンマ補正を行う構成としてある。
【００１３】
上記のように構成した請求項３にかかる発明においては、上記第一第二のガンマ補正手段は、上記ディスプレイ装置に対応する各色成分の第一のガンマ補正係数テーブルをメモリ手段から読み出して第一のガンマ補正を行ってホワイトバランス調整を実行し、上記第二のガンマ補正手段は、同様に上記メモリ手段から第二のガンマ補正係数テーブルを読み出し、第二のガンマ補正を行ってホワイトバランス調整を実行する。
従って、装置内に格納するデータを利用することができ、装置内の制御によりホワイトバランス調整の実行が容易となる。ホワイトバランス調整の実行を容易化させる上で、装置内にメモリ手段を備えることは有用であるが、本発明ではディスプレイ装置に対応したガンマ補正を行うことができれば良いとの観点から、ガンマ補正係数テーブルを外部装置から取得するなどしても良い。
【００１４】
上記請求項３の具体構成の一例として、請求項４にかかる発明は、上記請求項３に記載の信号処理装置において、上記メモリ手段は、複数種類の異なるディスプレイ装置に対応する第一および第二のガンマ補正係数テーブルを記憶し、上記第一のガンマ補正手段は、当該信号処理装置がＲＧＢ信号を出力するディスプレイ装置を識別するとともに、この識別したディスプレイ装置に対応する第一のガンマ補正係数テーブルを上記メモリ手段から読み出して上記第一のガンマ補正を行うとともに、上記第二のガンマ補正手段は、上記ディスプレイ装置を識別するとともに、この識別したディスプレイ装置に対応する第二のガンマ補正係数テーブルを上記メモリ手段から読み出して上記第二のガンマ補正を行う構成としてある。
【００１５】
上記のように構成した請求項４にかかる発明においては、上記メモリ手段は複数種類の異なる画像出力装置に対応する第一および第二のガンマ補正係数テーブルを記憶しており、上記第一のガンマ補正手段は、当該信号処理装置がＲＧＢ信号を出力するディスプレイ装置を識別するとともに、この識別したディスプレイ装置に対応する第一のガンマ補正係数テーブルを同メモリ手段から読み出して上記第一のガンマ補正を行う。
また、上記第二のガンマ補正手段は、上記ディスプレイ装置を識別するとともに、この識別したディスプレイ装置に対応する第二のガンマ補正係数テーブルを上記メモリ手段から読み出して上記第二のガンマ補正を行う。
従って、当該信号処理装置がＲＧＢ信号を出力するディスプレイ装置の種類や仕様などが異なる場合であっても、上記メモリ手段からいずれかのガンマ補正係数を読み出すことにより、ディスプレイ装置に対応するガンマ補正が実行される。このため、採用されるディスプレイ装置の種類や製造メーカが異なる場合であっても、装置内制御によって対応可能となる。
【００１６】
上記第一および第二のガンマ補正手段がホワイトバランス調整を行うタイミングの一例として、請求項５にかかる発明は、上記請求項２〜請求項４のいずれかに記載の信号処理装置において、上記第一および第二のガンマ補正手段は、工場モードの実行時にガンマ補正を行い、当該信号処理装置がＲＧＢ信号を出力するディスプレイ装置に対応するホワイトバランス調整を行う構成としてある。
上記のように構成した請求項５にかかる発明においては、工場モードが実行されるとき、上記第一および第二のガンマ補正手段は、上述したガンマ補正を行い、当該信号処理装置がＲＧＢ信号を出力するディスプレイ装置に対応するホワイトバランス調整を行う。従って、出荷前の初期設定工程の中でホワイトバランス調整を完了することにより、ホワイトバランス調整を終えた製品が出荷される。
【００１７】
なお、本発明にかかる信号処理装置は方法としても実現可能である。その一例として、請求項６にかかる発明は、所定のデジタル映像信号を入力し、この入力されるデジタル映像信号に画素数変換処理を行ってＲＧＢ信号を出力するとともに、この出力されるＲＧＢ信号に画質設定処理を行って所定のディスプレイ装置に出力する信号処理方法において、上記画素数変換処理して出力されるＲＧＢ信号に対してＲＧＢ成分ごとに第一のガンマ補正を行って上記ディスプレイ装置に対応するホワイトバランス調整を実行するとともに、上記画質設定処理して出力されるＲＧＢ信号に対してＲＧＢ成分ごとに第二のガンマ補正を行って同ディスプレイ装置に対応するホワイトバランス調整を実行するとしている。すなわち、本発明は方法としても有用となる。
【発明の効果】
【００１８】
以上説明したように請求項１にかかる発明によれば、回路設計の効率化を図りつつ画質を維持することが可能なテレビジョンを提供することができる。
また、請求項２にかかる発明によれば、回路設計の効率化を図りつつ画質を維持することが可能な信号処理装置を提供することができる。
さらに、請求項３にかかる発明によれば、装置内の制御のみでホワイトバランス調整を行うことができるため、ホワイトバランス調整の実行が容易になる。
さらに、請求項４にかかる発明によれば、採用されるディスプレイ装置の種類や製造メーカが異なる場合であっても、装置内制御によって容易に対応することができる。
さらに、請求項５にかかる発明によれば、ホワイトバランス調整を終えた製品をユーザ向けに出荷することができ、ユーザサイドでの調整作業が不要となる。
さらに、請求項６にかかる発明によれば、回路設計の効率化を図りつつ画質を維持することが可能な信号処理方法を提供することができる。
【発明の実施の形態】
【００１９】
ここでは、下記の順序に従って本発明の実施形態を説明する。
（１）液晶テレビジョンの概略構成：
（２）信号処理回路の構成：
（３）ホワイトバランス調整時の動作：
（４）まとめ：
【００２０】
（１）液晶テレビジョンの概略構成：
図１は、本発明の一実施形態にかかる液晶テレビジョンの概略構成をブロック図により示している。なお、本実施形態では、音声系信号に関する説明を省略し、映像系信号について説明する。
同図において、チューナ１０は、アンテナ１１を介してテレビ放送帯域に対応した所望周波数の放送信号を受信するとともに、この受信した放送信号から所要の信号を選択して高周波増幅し、中間周波信号に変換して出力する。
チューナ１０から出力された中間周波信号は、クロマＩＣ２０に供給されると、中間周波増幅されるとともに映像検波される。ここで得られるアナログ映像信号はＡ／Ｄ変換回路３０にてデジタル変換されて信号処理回路４０に出力され、信号処理回路４０にて所定の信号処理を施された後、本発明にいうディスプレイ装置としての液晶モジュール５０に出力される。すると、液晶モジュール５０に備えられた液晶パネルでは信号処理回路４０からの出力信号に基づいて上記放送信号に基づく映像を出力する。
【００２１】
チューナ１０、クロマＩＣ２０および信号処理回路４０にＩＩＣバス６０を介して接続されたマイコン７０は、チューナ１０への周波数制御指示やクロマＩＣ２０への信号処理指示などテレビジョン全体の制御を行っている。
また、マイコン７０には、チューナ１０などと同様にＩＩＣバス６０を介してプリセット設定などを記憶する本発明にいうメモリ手段としてのＥＥＰＲＯＭ８０が接続されている。ここで、ＥＥＰＲＯＭ８０は、不揮発性の記憶領域であり、マイコン７０はチャンネル周波数帯域の設定データや中間周波信号の周波数データなどの他、液晶モジュール５０の仕様に対応した信号処理を実行するためのプリセットデータが書き込まれており、これらのデータは必要に応じてマイコン７０に参照されている。
【００２２】
（２）信号処理回路の構成：
図２は、信号処理回路４０の構成をブロック図により示している。
同図において、信号処理回路４０は、ＲＧＢ信号生成部４１とＲＧＢ信号処理部４２とを備えている。
ＲＧＢ信号生成部４１は、画素数変換回路（スケーラ）４１ａと、第一のガンマ補正回路４１ｂとを備えている。画素数変換回路４１ａは、Ａ／Ｄ変換回路３０から出力されたデジタル映像信号を入力し、液晶モジュール５０の画素数に応じて画素数変換を行うスケーリング処理を実行することによりＲＧＢ信号を生成して出力する。ＲＧＢ信号を生成して出力する。第一のガンマ補正回路４１ｂは、このＲＧＢ信号に対して色成分ごとにガンマ補正を行う。なお、画素数変換回路４１ａは、本発明にいう信号入力手段と画素数変換手段とを構成し、第一のガンマ補正回路４１ｂは、本発明にいう第一のガンマ補正手段を構成する。
【００２３】
ＲＧＢ信号処理部４２は、画質設定回路４２ａと、第二のガンマ補正回路４２ｂとを備えている。画質設定回路４２ａは、ＲＧＢ信号生成部４１から出力されたＲＧＢ信号を入力し、シャープネス調整や色温度調整などの処理を実行して画質設定を行う。第二のガンマ補正回路４２ｂは、このＲＧＢ信号に対して色成分ごとにガンマ補正を行う。なお、画質設定回路４２ａは、本発明にいう画質設定手段を構成し、第二のガンマ補正回路４２ｂは、本発明にいう第二のガンマ補正手段を構成する。
すると、ＲＧＢ信号処理部４２から出力されるＲＧＢ信号は液晶モジュール５０に供給され、液晶モジュール５０では、同ＲＧＢ信号に基づいて画面表示の制御駆動処理を行い、上述したように上記放送信号に基づく映像を液晶パネル上に表示する。
【００２４】
（３）ホワイトバランス調整時の動作：
図３は、ホワイトバランス調整時のマイコン制御をブロック図により示している。
同図において、マイコン７０は、工場出荷前に作業者により通常は操作されない組み合わせのキー操作がリモコンにて行われると、この操作を検出して工場モードを実行し、音量や画面のデフォルト設定などの初期設定を行う。この初期設定の一部として、ホワイトバランス調整は実行される（ステップＳ１００）。
工場モードの実行中、作業者によるリモコン操作により採用している液晶モジュール５０の製造メーカやパネルサイズなどの仕様を示す識別コードが入力されると、マイコン７０は、この識別コードに基づいて液晶モジュール５０の仕様を識別する（ステップＳ１１０，１２０）。当該液晶テレビジョンでは、様々な製造メーカの様々な仕様の液晶モジュールが採用される可能性があるとともに、複数の液晶モジュールに対応した信号処理を実施可能に設計されているため、上述したような液晶モジュール５０の仕様識別が必要となる。
【００２５】
ＥＥＰＲＯＭ８０には、液晶モジュール５０における表示の非線形特性を補償するガンマ補正を行う際に参照するためのガンマ補正係数テーブルが格納されており、マイコン７０は、ＩＩＣバス６０を介して液晶モジュール５０の仕様に対応するガンマ補正係数テーブルをＥＥＰＲＯＭ８０から読み出してＲＧＢ成分ごとにガンマ補正回路４１ｂ，４２ｂの設定を行う（ステップＳ１３０〜１５０）。
ＥＥＰＲＯＭ８０に格納されるガンマ補正係数テーブルは、第一のガンマ補正係数テーブルと第二のガンマ補正係数テーブルとにより構成されており、マイコン７０は、第一のガンマ補正係数テーブルに基づいて第一のガンマ補正回路４１ｂを設定するとともに、第二のガンマ補正係数テーブルに基づいて第二のガンマ補正回路４２ｂを設定する。
【００２６】
ここで、チューナ１０が初期設定を行うための工場内放送信号を受信し、クロマＩＣ２０およびＡ／Ｄ変換回路３０を介して対応するデジタル映像信号が信号処理回路４０に入力されると、ＲＧＢ信号生成部４１では第一のガンマ補正回路４１ｂにて、ＲＧＢ信号に対して色成分ごとに第一のガンマ補正が行われ、液晶モジュール５０の仕様に応じたホワイトバランス調整が実行される。
また、ＲＧＢ信号処理部４２では第二のガンマ補正回路４２ｂにて、ＲＧＢ信号に対して色成分ごとに第二のガンマ補正が行われ、液晶モジュール５０の仕様に応じたホワイトバランス調整が実行される。
このため、液晶モジュール５０では、信号処理回路４０から出力されるＲＧＢ信号に基づいて、ホワイトバランスのバラツキが解消された映像が液晶パネル上に表示される。
【００２７】
（４）まとめ：
このように、本実施形態にかかる液晶テレビジョンでは、ＲＧＢ信号生成部４１でホワイトバランス調整を行うとともに、ＲＧＢ信号処理部４２でも画質設定の一環としてホワイトバランス調整を行っているため、回路設計に余裕を持たせなくても所定色成分の飽和などが生じにくいため、回路設計の効率化を図りつつ画質維持が可能となる。
【図面の簡単な説明】
【００２８】
【図１】本実施形態にかかる液晶テレビジョンの概略構成を示すブロック図である。
【図２】信号処理回路の構成を示すブロック図である。
【図３】ホワイトバランス調整時のマイコン制御を示すブロック図である。
【符号の説明】
【００２９】
４０…信号処理回路
４１…ＲＧＢ信号生成部
４１ａ…画素数変換回路
４１ｂ…第一のガンマ補正回路
４２…ＲＧＢ信号処理部
４２ａ…画質設定回路
４２ｂ…第二のガンマ補正回路
【図１】
2006314062.tif 000003
【図２】
2006314062.tif 000004
【図３】
2006314062.tif 000005